(57)【要約】【解決手段】プリント回路基板上の表面実装型電気コネクタ用の保持システムを提供する。絶縁性コネクタハウジングがプリント回路基板の表面に取り付けるように適合されている。プリント回路基板上の適切な回路トレースと係合するためにハウジングに複数の端子が取り付けられている。保持クリップがハウジングに取り付けられ、プリント回路基板の表面上の適切な接地トレースにはんだ接続するための基板取り付けタブを含む。タブ取り付けタブは開口を有する。導電性シールドがハウジングの一部分を取り囲んで配設され、基板取り付けタブの開口内に延在する突出部を含む。その結果、はんだ材料は基板取り付けタブの開口を介してシールドの突起部と係合し、それにより、保持クリップとシールドとの両方をプリント回路基板に機械的、かつ、電気的に固定する。【選択図】図１
2004523081.tif 000002
【特許請求の範囲】
【請求項１】
プリント回路基板上の表面実装型電気コネクタ用の保持システムであって、
前記プリント回路基板の表面に取り付ける絶縁性コネクタハウジングと、
前記プリント回路基板上の適切な回路トレースと係合するように前記ハウジングに取り付けられた複数の端子と、
前記ハウジングに取り付けられ、前記プリント回路基板の前記表面の適切な接地トレースにはんだ接続する基板取り付けタブを備えた保持クリップであって、前記タブが開口を備える保持クリップと、
前記ハウジングの一部分を取り囲み、前記保持クリップの前記基板取り付けタブの前記開口内に延在する突出部を備えた導電性シールドとを有し、
はんだ材料が前記基板取り付けタブの前記開口を介して前記シールドの前記突出部と係合し、それにより、前記保持クリップと前記シールドの両方を前記プリント回路基板に機械的、かつ、電気的に固定する保持システム。
【請求項２】
前記保持クリップの基板取り付けタブは、前記プリント回路基板と表面係合するように該プリント回路基板の前記表面とほぼ平行に延在する、請求項１に記載の保持システム。
【請求項３】
前記シールドは、前記プリント回路基板の前記表面とほぼ垂直に延在する壁を備え、前記突出部が前記壁の下縁に配設された、請求項２に記載の保持システム。
【請求項４】
前記ハウジングの両側に取り付けられた一対の前記保持クリップを備える、請求項１に記載の保持システム。
【請求項５】
前記保持クリップは、前記ハウジングに取り付けられた本体を備え、前記基板取り付けタブが前記本体から突出しており、前記プリント回路基板上の前記接地トレースから前記保持クリップを通り前記シールドに至る補助的な導電経路を提供するために前記シールドと係合するように前記本体から突出する係合フランジを備えた、請求項１に記載の保持システム。
【請求項６】
前記ハウジングは、前記保持クリップの前記係合フランジが係合可能な掛止フランジを備え、それにより、前記係合フランジが、前記保持クリップを前記ハウジングに掛止する二重機能を果たす、請求項５に記載の保持システム。
【請求項７】
前記ハウジングは、前記保持クリップの前記係合フランジが係合可能な停止フランジを備え、それにより、前記係合フランジが、前記ハウジング上に前記保持クリップを取り付けるための停止限度手段（stop limit means）を定義する更なる機能を果たす、請求項６に記載の保持システム。
【請求項８】
プリント回路基板上の表面実装型電気コネクタ用の保持システムであって、
前記プリント回路基板の表面に取り付ける絶縁性コネクタハウジングと、
前記プリント回路基板上の適切な回路トレースと係合するために前記ハウジングに取り付けられた複数の端子と、
前記ハウジングの下部に前記プリント回路基板とほぼ直角に取り付けられた本体と、前記プリント回路基板の表面上の適切な接地トレースにはんだ接続によって表面係合するように前記回路基板の表面とほぼ平行に前記本体から突出する基板取り付けタブとを備えた略Ｌ字形の保持クリップであって、前記基板取り付けタブが開口を備える保持クリップと、
前記ハウジングの一部分を取り囲み、前記プリント回路基板の表面とほぼ垂直に延在している側壁を備えた導電性シールドであって、前記側壁がその下縁に、前記保持クリップの前記基板取り付けタブの前記開口内に延びる突出部を備えた導電性シールドとを有し、
それにより、はんだ材料が前記基板取り付けタブの前記開口を介して前記シールドの前記突出部と係合し、それにより、前記保持クリップと前記シールドとの両方を前記プリント回路基板に機械的、かつ、電気的に固定する保持システム。
【請求項９】
前記ハウジングの両側に取り付けられた一対の前記保持クリップを備える、請求項８に記載の保持システム。
【請求項１０】
前記保持クリップは、前記プリント回路基板上の前記接地トレースから前記保持クリップを通り前記シールドに至る補助導電経路を提供するために前記シールドと係合するように前記クリップの前記本体から突出する係合フランジを備える、請求項８に記載の保持システム。
【請求項１１】
前記ハウジングは、前記保持クリップの前記係合フランジが係合可能な掛止フランジを備え、それにより、前記係合フランジが、前記保持クリップを前記ハウジングに掛止する二重機能を果たす、請求項１０に記載の保持システム。
【請求項１２】
前記ハウジングは、前記保持クリップの前記係合フランジが係合可能な停止フランジを備え、それにより、前記係合フランジが、前記ハウジング上に前記保持クリップを取り付けるための停止限度手段を定義する更なる機能を果たす、請求項１１に記載の保持システム。
【請求項１３】
プリント回路基板上の表面実装型電気コネクタ用の保持システムであって、
前記プリント回路基板の表面に取り付ける絶縁性コネクタハウジングと、
前記プリント回路基板上の適切な回路トレースと係合するように前記ハウジングに取り付けられた複数の端子と、
前記ハウジングに取り付けられ、前記プリント回路基板と直角で平坦な本体と、前記プリント回路基板の前記表面の適切な接地トレースとはんだ接続する基板取り付けタブとを備えた保持クリップと、
前記ハウジングの一部分を取り囲み、前記シールドから前記保持クリップの前記取り付けタブと並ぶ位置まで延在する突出部を備えた導電シールドと、
前記シールドの前記突出部から離間した前記保持クリップの平坦な本体から延在し、前記シールドと係合可能な係合フランジとを有し、
はんだ材料が前記基板取り付けタブと係合すると同時に前記シールドの前記突出部と係合し、それにより、前記保持クリップと前記シールドの両方を前記プリント回路基板に機械的、かつ、電気的に固定し、また、前記係合フランジが、前記プリント回路基板上の前記接地トレースから前記保持クリップを通って前記シールドに至る補助導電経路を提供する保持システム。
【請求項１４】
前記保持クリップの前記基板取り付けタブは、表面係合する前記プリント回路基板の表面とほぼ平行に延在している、請求項１３に記載の保持システム。
【請求項１５】
前記シールドは、前記プリント回路基板の前記表面に対してほぼ直角に延在する壁を備え、前記突出部が前記壁の下縁に配設されている、請求項１４に記載の保持システム。
【請求項１６】
前記ハウジングの両側に取り付けられた一対の前記保持クリップを備えた、請求項１３に記載の保持システム。
【請求項１７】
前記ハウジングは、前記保持クリップの前記係合フランジが係合可能な掛止フランジを備え、それにより、前記係合フランジが、前記保持クリップを前記ハウジングに掛止する二重機能を果たす、請求項１３に記載の保持システム。
【請求項１８】
前記ハウジングが、前記保持クリップの前記係合フランジが係合可能な停止フランジを備え、それにより、前記係合フランジが、前記ハウジング上に前記保持クリップを取り付けるために停止限度手段を定義する更なる機能を果たす、請求項１７に記載の保持システム。
【発明の詳細な説明】
【技術分野】
【０００１】
本発明は、一般に電気コネクタの技術に関し、特に、プリント回路基板上の表面実装型電気コネクタの保持システムに関する。
【背景技術】
【０００２】
プリント回路基板に取り付けるように設計された様々な種類の電気コネクタがある。そのようなコネクタは、複数の導電性端子を取り付ける絶縁性ハウジングを含む。相互接続された回路を高周波（ＲＦ）及び／又は電磁（ＥＭＩ）干渉から保護するために、金属シールドがハウジングの周囲を実質的に取り囲んでいる場合が多い。幾つかのコネクタでは、端子がテール部を備え、シールドが脚部を備え、このテール部と脚部が、プリント回路基板の適切な穴へ挿入するためにハウジングから下方に延在している。「表面実装」コネクタと呼ばれることが多い他のコネクタでは、端子のテール部が、プリント回路基板の表面の回路トレースと表面係合するように曲げられている。
【発明の開示】
【発明が解決しようとする課題】
【０００３】
前述された特徴を有する表面実装型電気コネクタの場合は、一般に、コネクタのシールドをプリント回路基板上の適切な接地回路トレースに電気的に接続するための二つの異なる手法がある。一つの手法は、単に、シールドと一体化された基板取り付けタブを使用することであり、この基板取り付けタブは、プリント回路基板上の接地回路トレースに、はんだ付けなどによって表面接続する構造に曲げられている。そのような一体的な取り付けタブの場合、シールドの取り付けタブを、端子の表面係合テール部と同一平面上に維持する際に多くの問題が生じる。同一平面上にないと、取り付けタブとテール部を回路基板上の回路トレースにはんだ付けしたときに接続不良が生じることがある。
【０００４】
もう一つの手法は、コネクタの絶縁性ハウジングに取り付けられ、基板取り付けタブを備えた別体の導電金属保持クリップを使用することである。しかしながら、別体の保持クリップをコネクタのシールドに対して機械的、かつ、電気的に係合した状態に保たなければならず、シールドと保持クリップとの間の良好な電気的導通を保証する上で問題が生じることがある。
【０００５】
本発明は、保持クリップをコネクタのシールドに電気的に結合する独特なシステムによって、表面実装型保持クリップを使用する保持システムの上記のような問題を解決するものである。
【課題を解決するための手段】
【０００６】
したがって、本発明の目的は、プリント回路基板上の表面実装型電気コネクタ用の新規で、かつ、改善された保持システムを提供することである。
【０００７】
本発明の例示的な実施形態においては、絶縁性コネクタハウジングが、プリント回路基板の表面に取り付けるように適合されている。プリント回路基板上の適切な回路トレースと係合するためにハウジングに複数の端子が取り付けられる。少なくとも一つの保持クリップが、ハウジングに取り付けられ、プリント回路基板の表面上の適切な接地トレースにはんだ接続するための基板取り付けタブを含む。該取り付けタブは開口を有する。導電性シールドがハウジングの一部分の周りに配設され、保持クリップの基板取り付けタブの開口内に延在する突出部を含む。その結果、保持クリップを回路基板にはんだ接続する際に、はんだ材料が取り付けタブの開口を介してシールドの突出部と係合し、それにより、保持クリップとシールドとの両方をプリント回路基板に機械的、かつ、電気的に固定する。
【０００８】
本明細書に開示したように、保持クリップの基板取り付けタブは、表面係合するためにプリント回路基板の表面とほぼ平行に延在する。シールドは、プリント回路基板の表面とほぼ直角に延在している壁を含む。シールドの突出部は、壁の下縁に配設されている。少なくとも一対の保持クリップがハウジングの両側に取り付けられることが好ましい。
【０００９】
本発明のもう一つの特徴は、導電性シールドと保持クリップとの間に冗長な結合経路を設けることである。詳細には、保持クリップは、コネクタハウジングに取り付けられる本体を含む。本体から基板取り付けタブが突出している。さらに、また、係合フランジが、シールドと係合する本体から突出し、プリント回路基板上の接地トレースから保持クリップ内を通りシールドに至る補助的又は冗長な導電経路を提供する。また、ハウジングは、保持クリップの係合フランジと係合可能な掛止フランジを備え、それにより、係合フランジは、保持クリップをハウジングに掛止する二重機能を果たす。
【００１０】
本発明のその他の目的、特徴及び利点は、添付図面と関連した以下の詳細な説明から明らかになるであろう。
【００１１】
新規と考えられる本発明の特徴は、添付の特許請求の範囲に詳細に記載されている。本発明は、その目的及び利点とともに、添付図面と関連して行われる以下の説明を参照することにより最もよく理解することができ、図面において同じ参照符号は同じ要素を示す。
【発明を実施するための最良の形態】
【００１２】
図面をより詳細に参照して説明する。最初に図１と図２を参照すると、本発明は、全体を１０で示した電気コネクタとして具体化されており、この電気コネクタは、プリント回路基板（図示せず）の表面に取り付けるように設計されている。本明細書のコネクタは、一般に、当技術分野において知られているモジュラ電話ジャックの形態である。しかしながら、本発明は、種々のシールド付き電気コネクタに同様に適用可能であることを理解されたい。
【００１３】
上記のような理解の下で説明を行う。電気コネクタ、すなわち、モジュラジャック１０は、全体を１４で示した導電性シールドによって実質的に囲まれ、全体を１２で示した絶縁性ハウジングを含む。ハウジングは、例えば、プラスチック材料などから一体成形された一体構造物である。シールドは、例えば、導電性シートメタル材料から打ち抜き成形された一体構造物である。ハウジングとシールドとは両方とも、複数部材を組み合わせた構造物であってもよい。ハウジング１２は、従来のモジュラジャックのプラグ用の差し込み口を形成するために、シールドの前側開口部１８と一致するほぼ長方形の開口部１６を有する。シールドは、プラグの外側シールドと係合するために差し込み口内に曲げられた複数の可撓（とう）性フィンガ２０を有する。また、シールドは、該シールドを内部に収容する適切な支持構造と係合するために外方に曲げられた複数の可撓性フィンガ２２を有する。シールドは、プリント回路基板とほぼ直角の方向、すなわち、基板がほぼ水平の場合には、ほぼ垂直な方向に向けられた一対の対向する側壁２４を含む。最後に、図２に示したように、シールドは、ハウジング１２の底部と一体成形された掛止ボス２８とを相互係合するために、シールドの底部に穴開き掛止フランジ２６を有する。シールドの後部下側角部には、ハウジングの各後部角部の外側の掛止ボス２９ａを収容するための掛止穴２９が設けられている。
【００１４】
絶縁性ハウジング１２内に、モジュラジャックに特有の形態で複数の端子が取り付けられている。詳細には、端子は、モジュラジャックのプラグの接点と係合するためにコネクタの差し込み口内に斜めに延在する接点部分３０（図１）を有する。端子の複数のテール部３２（図２）が、プリント回路基板上の適切な回路トレースと表面係合するために、コネクタの後部から外方に突出している。また、図２は、ハウジング１２がプリント回路基板の適切な位置決め孔（あな）に差し込むための一対の位置決めポスト３４を有することを示す。
【００１５】
図１と図２は、全体を３６で示した一対の保持クリップが、ハウジング１２の下部にあり、かつ、シールド１４の側壁２４とほぼ位置が整合された一対の取り付けスロット３８（図２）内に取り付けられていることを示す。図３は、保持クリップの一方の細部を示す。具体的には、各保持クリップは、導電性シートメタル材料から打ち抜き成形され、また絶縁性プラスチックハウジング内のスロット３８のそれぞれに差し込まれるほぼ平坦（たん）な本体４０を含む。ハウジング内に保持クリップをロックするために、本体の両側の縁に、スロット３８内でハウジングのプラスチック材料に食い込む歯、すなわち、かかり部４２が形成されている。各保持クリップは、本体４０から該本体４０とほぼ垂直方向に外方に曲げられた基板取り付けタブ４４を含む。該基板取り付けタブには開口４６が貫設されている。一対の係合フランジ４８が、本体４０から打ち抜き成形され、本体４０から外方に延在している。この係合フランジは、本体４０とほぼ平行に曲げられ、面取りされた末端、すなわち、先端４８ａで終端している。
【００１６】
保持クリップ３６は、ハウジング１２の下部のスロット３８（図２）に矢印「Ａ」（図１）の方向に差し込まれる。図１と図２に示したように、基板取り付けタブ４４は、シールド１４の側壁２４を超えてハウジングから外方に突出している。基板取り付けタブ４４が端子のテール部３２とほぼ同一平面上になるように、保持クリップを差し込むときに適切なジグが使用される。図４に示したように、保持クリップの係合フランジ４８は、ハウジング１２の側壁５０よりも外側に突出している。実際には、係合フランジは、その末端４８ａがシールド１４の側壁２４の内側と良好に係合するように十分に外側に突出している。その結果、金属シールドと金属保持クリップとの間に良好な金属間接触が行われる。
【００１７】
また、図４は、ハウジング１２と一体成形され、かつ、ハウジング１２の各側面５０から外側に突出している一対の面取りされた掛止フランジ５２を含むことを示している。取り付けクリップが、ハウジングに矢印「Ａ」の方向に差し込まれたとき、保持クリップの係合フランジ４８の末端４８ａが、ハウジングの掛止フランジ５２の後ろにスナップ式に嵌（は）まって掛止する。さらに、係合フランジ４８のうちの一つの末端と係合するために、停止フランジ５４が、ハウジングと一体成形される。この停止フランジは、保持クリップの差し込みの限度を決め、これにより、基板取り付けタブ４４が端子のテール部３２と同一平面を維持するのに適切な位置に確実に位置決めされる。以上の事から、係合フランジ４８／４８ａが、（ａ）金属保持クリップを金属シールドに導通させ、（ｂ）ハウジングとの掛止手段を提供し、（ｃ）ハウジングにクリップを挿入する際の停止限度（stop limit）を提供するという複数の機能を果たすことが分かる。
【００１８】
本発明のもう一つの独特な特徴は、シールド１４の各側壁２４の下部からの突出部５６を備えることであり、この突出部は、各保持クリップの基板取り付けタブ４４の開口４６に差し込むための先端部分５６ａを有する。図５は、基板取り付けタブ４４が、プリント回路基板と平行なほぼ水平方向に、シールド１４の側壁２４を超えてコネクタハウジングから外方に突出している様子を示す。突出部５６の先端５６ａは、プリント回路基板とほぼ直角にシールドの側壁２４から下方に突出している。図１と図２に示したように、突出部の先端５６ａは、取り付けタブ４４の開口４６内に延在している。したがって、端子テール部３２と基板取り付けタブ４４を、プリント回路基板上の適切な信号回路トレースと接地回路トレースとにそれぞれはんだ付けしたとき、はんだ材料が基板取り付けタブ４４の開口４６を介してシールドの突出部５６の先端部分５６ａと係合する。その結果、はんだ付け処理によって、保持クリップとシールドが両方ともプリント回路基板上の接地回路トレースに機械的、かつ、電気的に固定される。図５は、プリント回路基板上の表面実装コネクタ１０のための同一平面上にある基板取り付けタブ４４と端子テール部分３２を示す。
【００１９】
本発明の精神及び主要な特徴から逸脱することなく本発明を他の特定の形態で実施できることが理解されよう。したがって、本明細書の実施例及び実施形態は、すべての点において限定ではなく例示と見なされるべきであり、本発明は本明細書に示した細部に限定されない。
【図面の簡単な説明】
【００２０】
【図１】本発明の概念を具体化した電気コネクタの前側の結合端から見た上面斜視図である。
【図２】図１のコネクタの下面斜視図である。
【図３】保持クリップの拡大斜視図である。
【図４】図１と同様の図で、コネクタのシールドを取り外した状態を示す図である。
【図５】図１のコネクタの正面図である。
【国際公開パンフレット】
2004523081.tif 000003
2004523081.tif 000004
2004523081.tif 000005
2004523081.tif 000006
2004523081.tif 000007
2004523081.tif 000008
2004523081.tif 000009
2004523081.tif 000010
2004523081.tif 000011
2004523081.tif 000012
2004523081.tif 000013
2004523081.tif 000014
2004523081.tif 000015
2004523081.tif 000016
【国際調査報告】
2004523081.tif 000017
2004523081.tif 000018